(57)【特許請求の範囲】
【請求項１】
無線基地局であって、
前記無線基地局配下のセルに接続されている移動局に対するスケジューリング処理を行うように構成されているスケジューリング部を具備し、
前記スケジューリング部は、ＣＡ（Ｃａｒｒｉｅｒ  Ａｇｇｒｅｇａｔｉｏｎ）を行っている移動局に対するスケジューリング処理において、ピコセルを含むＣＡがアクティブ化されたことを検出した場合に、特定種別のベアラを特定のコンポーネントキャリアに割り当てる特定のスケジューリング処理を行い、前記ピコセルを含むＣＡがアクティブ化されたことを検出していない場合には、ベアラの種別を意識しないスケジューリング処理を行うように構成されていることを特徴とする無線基地局。
【請求項２】
前記スケジューリング部は、前記特定のスケジューリング処理においては、Ｃ-ｐｌａｎｅベアラを主キャリアに割り当て、Ｕ-ｐｌａｎｅベアラを副キャリアに割り当てることを特徴とする請求項１に記載の無線基地局。
【請求項３】
前記スケジューリング部は、前記特定のスケジューリング処理においては、Ｃ-ｐｌａｎｅベアラ及び音声通信用Ｕ-ｐｌａｎｅベアラを主キャリアに割り当て、パケット通信用Ｕ-ｐｌａｎｅベアラを副キャリアに割り当てることを特徴とする請求項１に記載の無線基地局。
【請求項４】
無線基地局であって、
前記無線基地局配下のセルに接続されている移動局に対するスケジューリング処理を行うように構成されているスケジューリング部を具備し、
前記スケジューリング部は、ＣＡ（Ｃａｒｒｉｅｒ  Ａｇｇｒｅｇａｔｉｏｎ）を行っている移動局に対するスケジューリング処理において、ピコセルを含むＣＡがアクティブ化されたことを検出した場合に、各ベアラにマッピングされている論理チャネルの優先度に基づいて、各ベアラを割り当てるコンポーネントキャリアを決定する特定のスケジューリング処理を行い、前記ピコセルを含むＣＡがアクティブ化されたことを検出していない場合には、各ベアラにマッピングされている論理チャネルの優先度を意識しないスケジューリング処理を行うように構成されていることを特徴とする無線基地局。
【請求項５】
無線基地局におけるスケジューリング方法であって、
前記無線基地局配下のセルでＣＡ（Ｃａｒｒｉｅｒ  Ａｇｇｒｅｇａｔｉｏｎ）を行っている移動局に対するスケジューリング処理において、
ピコセルを含むＣＡがアクティブ化されたことを検出する検出工程と、
前記検出工程において、前記ピコセルを含むＣＡがアクティブ化されたことを検出した場合には、特定種別のベアラを特定のコンポーネントキャリアに割り当てる特定のスケジューリング処理を行い、前記検出工程において、前記ピコセルを含むＣＡがアクティブ化されたことを検出していない場合には、ベアラの種別を意識しないスケジューリング処理を行う工程とを有することを特徴とするスケジューリング方法。
【請求項６】
無線基地局におけるスケジューリング方法であって、
前記無線基地局配下のセルでＣＡ（Ｃａｒｒｉｅｒ  Ａｇｇｒｅｇａｔｉｏｎ）を行っている移動局に対するスケジューリング処理において、
ピコセルを含むＣＡがアクティブ化されたことを検出する検出工程と、
前記検出工程において、前記ピコセルを含むＣＡがアクティブ化されたことを検出した場合には、各ベアラにマッピングされている論理チャネルの優先度に基づいて、各ベアラを割り当てるコンポーネントキャリアを決定する特定のスケジューリング処理を行い、前記検出工程において、前記ピコセルを含むＣＡがアクティブ化されたことを検出していない場合には、各ベアラにマッピングされている論理チャネルの優先度を意識しないスケジューリング処理を行う工程とを有することを特徴とするスケジューリング方法。
【発明の詳細な説明】
【技術分野】
【０００１】
本発明は、無線基地局及びスケジューリング方法に関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、ＣＡ（Ｃａｒｒｉｅｒ  Ａｇｇｒｅｇａｔｉｏｎ）を行うことが検討されている。
【０００３】
ＬＴＥ-Ａｄｖａｎｃｅｄ方式の移動通信システムでは、移動局ＵＥは、１つの無線基地局ｅＮＢとの間で、異なる周波数帯域の複数のＣＣ（Ｃｏｍｐｏｎｅｎｔ  Ｃａｒｒｉｅｒ、コンポーネントキャリア）を同時に用いて、ＣＡを行うことができるように構成されている。
【０００４】
また、ＣＡが行われる場合、移動局ＵＥは、無線基地局からの指示に応じて、複数のＣＣの中から、１つをＰＣＣ（Ｐｒｉｍａｒｙ  Ｃｏｍｐｏｎｅｎｔ  Ｃａｒｒｅｒ）として設定し、その他をＳＣＣ（Ｓｅｃｏｎｄａｒｙ  Ｃｏｍｐｏｎｅｎｔ  Ｃａｒｒｅｒ）として設定するように構成されている。
【先行技術文献】
【特許文献】
【０００５】
【特許文献１】特開２０１１-１４２５９６号
【非特許文献】
【０００６】
【非特許文献１】３ＧＰＰ  ＴＳ３６.８１４
【非特許文献２】３ＧＰＰ  ＴＳ３６.９１２
【発明の概要】
【発明が解決しようとする課題】
【０００７】
ＬＴＥ-Ａｄｖａｎｃｅｄ方式の移動通信システムでは、マクロセルのカバレッジエリア内における高トラフィックエリアに、１つ又は複数のピコセルを配置することが検討されている。
【０００８】
しかしながら、現在のＬＴＥ-Ａｄｖａｎｃｅｄ方式の移動通信システムでは、ＰＤＣＰ（Ｐａｃｋｅｔ  Ｄａｔａ  Ｃｏｎｖｅｒｇｅｎｃｅ  Ｐｒｏｔｏｃｏｌ）レイヤ及びＲＬＣ（Ｒａｄｉｏ  Ｌｉｎｋ  Ｃｏｎｔｒｏｌ）レイヤは、各ＣＣについて意識せず、ＭＡＣ（Ｍｅｄｉａ  Ａｃｃｅｓｓ  Ｃｏｎｔｒｏｌ）レイヤが、各ＣＣについて意識するように構成されている。
【０００９】
一方、現在のＬＴＥ-Ａｄｖａｎｃｅｄ方式の移動通信システムでは、ＭＡＣレイヤは、ベアラや論理チャネルについて意識していない。
【００１０】
したがって、例えば、無線基地局ｅＮＢのＭＡＣレイヤは、１つ又は複数のピコセルが配置された高トラフィックエリアにおいて、マクロセル及びピコセルを用いたＣＡを行っている移動局ＵＥに対するスケジューリング処理において、ベアラや論理チャネルを意識することができず、適切なトラフィック分散を実現することができないという問題点があった。
【００１１】
そこで、本発明は、上述の課題に鑑みてなされたものであり、ＣＡを行っている移動局ＵＥに対するスケジューリング処理において、適切なトラフィック分散を実現することができる無線基地局及びスケジューリング方法を提供することを目的とする。
【課題を解決するための手段】
【００１２】
本発明の第１の特徴は、無線基地局であって、前記無線基地局配下のセルに接続されている移動局に対するスケジューリング処理を行うように構成されているスケジューリング部を具備し、前記スケジューリング部は、ＣＡを行っている移動局に対するスケジューリング処理において、特定種別のベアラを特定のコンポーネントキャリアに割り当てるように構成されていることを要旨とする。
【００１３】
本発明の第２の特徴は、無線基地局であって、前記無線基地局配下のセルに接続されている移動局に対するスケジューリング処理を行うように構成されているスケジューリング部を具備し、前記スケジューリング部は、ＣＡを行っている移動局に対するスケジューリング処理において、各ベアラにマッピングされている論理チャネルの優先度に基づいて、各ベアラを割り当てるコンポーネントキャリアを決定するように構成されていることを要旨とする。
【００１４】
本発明の第２の特徴において、前記スケジューリング部が２つ設けられており、  前記スケジューリング部の一方は、特定種別のベアラのみを対象としたスケジューリング処理を行うように構成されていてもよい。
【００１５】
本発明の第３の特徴は、無線基地局におけるスケジューリング方法であって、前記無線基地局配下のセルでＣＡを行っている移動局に対するスケジューリング処理において、特定種別のベアラを特定のコンポーネントキャリアに割り当てる工程を有することを要旨とする。
【００１６】
本発明の第３の特徴は、無線基地局におけるスケジューリング方法であって、前記無線基地局配下のセルでＣＡを行っている移動局に対するスケジューリング処理において、各ベアラにマッピングされている論理チャネルの優先度に基づいて、各ベアラを割り当てるコンポーネントキャリアを決定する工程を有することを要旨とする。
【発明の効果】
【００１７】
以上説明したように、本発明によれば、ＣＡを行っている移動局ＵＥに対するスケジューリング処理において、適切なトラフィック分散を実現することができる無線基地局及びスケジューリング方法を提供することができる。
【図面の簡単な説明】
【００１８】
【図１】本発明の第１の実施形態に係る移動通信システムの全体構成図である。
【図２】本発明の第１の実施形態に係る無線基地局の機能図である。
【図３】本発明の第２の実施形態に係る無線基地局における「Ｌｏｇｉｃａｌ  Ｃｈａｎｎｅｌ  Ｐｒｉｏｒｉｔｙ」とベアラ種別とのマッピングの一例を示す図である。
【図４】本発明の第２の実施形態に係る無線基地局の動作を説明するためのフローチャートである。
【図５】本発明の第３の実施形態に係る無線基地局における「Ｌｏｇｉｃａｌ  Ｃｈａｎｎｅｌ  Ｐｒｉｏｒｉｔｙ」とベアラ種別とのマッピングの一例を示す図である。
【図６】本発明の第３の実施形態に係る無線基地局の動作を説明するためのフローチャートである。
【発明を実施するための形態】
【００１９】
（本発明の第１の実施形態に係る移動通信システム）
図１及び図２を参照して、本発明の第１の実施形態に係る移動通信システムについて説明する。本実施形態に係る移動通信システムは、ＬＴＥ-Ａｄｖａｎｃｅｄ方式の移動通信システムである。
【００２０】
なお、本実施形態に係る移動通信システムにおいて、移動局ＵＥは、無線基地局ｅＮＢとの間で、周波数帯域Ｆ１のＣＣ及び周波数帯域Ｆ２のＣＣを同時に用いて、信号の送受信を行うことができるように構成されている、すなわち、ＣＡを行うことができるように構成されている。
【００２１】
図１に示すように、本実施形態に係る移動通信システムでは、無線基地局ｅＮＢ配下に、マクロセルとして、セル＃１が設けられており、ピコセルとして、セル＃１１/＃１２が設けられている。
【００２２】
ここで、セル＃１（マクロセル）では、周波数帯域Ｆ１のＣＣが用いられており、セル＃１１/＃１２（ピコセル）では、周波数帯域Ｆ２のＣＣが用いられている。
【００２３】
図１に示すように、例えば、周波数帯域Ｆ１として、エリアカバレッジ範囲を重視したコア（カバレッジ）バンドが用いられ、周波数帯域Ｆ２として、高速な通信を重視した容量バンドが用いられることが想定されている。
【００２４】
例えば、周波数帯域Ｆ１として、８００ＭＨｚ帯や２ＧＨｚ帯等が用いられ、周波数帯域Ｆ２として、３.５ＧＨｚ帯等が用いられてもよい。
【００２５】
また、例えば、各ＣＣの帯域幅は、１.４ＭＨｚ、３ＭＨｚ、５ＭＨｚ、１０ＭＨｚ又は２０ＭＨｚのいずれかであってもよい。なお、１.４ＭＨｚ、３ＭＨｚ、５ＭＨｚ、１０ＭＨｚ又は２０ＭＨｚは、それぞれ６ＲＢ（Ｒｅｓｏｕｒｃｅ  Ｂｌｏｃｋ）、１５ＲＢ、２５ＲＢ、５０ＲＢ、７５ＲＢ又は１００ＲＢで構成されている。ここで、１ＲＢは、１８０ｋＨｚである。
【００２６】
また、本実施形態に係る移動通信システムでは、セル＃１のカバレッジエリアとセル＃１１/＃１２のカバレッジエリアとが地理的に重畳するように構成されている。
【００２７】
図２に示すように、無線基地局ｅＮＢは、ＰＤＣＰレイヤ機能と、ＲＬＣレイヤ機能と、ＭＡＣレイヤ機能とを具備している。
【００２８】
ＰＤＣＰレイヤ機能は、ＲＯＨＣ（Ｒｏｂｕｓｔ  Ｈｅａｄｅｒ  Ｃｏｍｐｒｅｓｓｉｏｎ）機能や、Ｓｅｃｕｒｉｔｙ機能等を具備している。
【００２９】
ＲＬＣレイヤ機能は、Ｓｅｇｍｅｎｔａｔｉｏｎ機能や、ＡＲＱ機能等を具備している。
【００３０】
ＭＡＣレイヤ機能は、１つのＵｎｉｃａｓｔ  Ｓｃｈｅｄｕｌｉｎｇ/Ｐｒｉｏｒｉｔｙ  Ｈａｎｄｌｉｎｇ機能を具備している。かかるＵｎｉｃａｓｔ  Ｓｃｈｅｄｕｌｉｎｇ/Ｐｒｉｏｒｉｔｙ  Ｈａｎｄｌｉｎｇ機能は、スケジューリング部１０を構成する。
【００３１】
また、ＭＡＣレイヤ機能は、各移動局ＵＥに対して、１つのＭｕｌｔｉｐｌｅｘｉｎｇ機能を具備しており、各移動局ＵＥによってＣＡにおいて用いられている各ＣＣに対応するＨＡＲＱエンティティを具備している。
【００３２】
ここで、各ＣＣは、１つのＨＡＲＱエンティティによって処理されるように構成されている。
【００３３】
スケジューリング部１０は、ＣＡを行っている移動局ＵＥに対するスケジューリング処理において、特定種別のベアラを特定のＣＣに割り当てるように構成されている。
【００３４】
例えば、スケジューリング部１０は、ＣＡを行っている移動局ＵＥに対するスケジューリング処理において、Ｃ-ｐｌａｎｅベアラをＰＣＣに割り当て、Ｕ-ｐｌａｎｅベアラをＳＣＣに割り当てるように構成されていてもよい。
【００３５】
或いは、スケジューリング部１０は、ＣＡを行っている移動局ＵＥに対するスケジューリング処理において、Ｃ-ｐｌａｎｅベアラ及び音声通信用Ｕ-ｐｌａｎｅベアラをＰＣＣに割り当て、パケット通信用Ｕ-ｐｌａｎｅベアラをＳＣＣに割り当てるように構成されていてもよい。
【００３６】
なお、スケジューリング部１０は、ピコセルを含むＣＡがアクティブ化されたことを検出した場合に、上述のＣＡを行っている移動局ＵＥに対するスケジューリング処理を行うように構成されていてもよい。
【００３７】
すなわち、スケジューリング部１０は、ピコセルを含むＣＡがアクティブ化されたことを検出していない場合には、通常のスケジューリング処理（すなわち、ベアラの種別を意識しないで行うスケジューリング処理）を行うように構成されていてもよい。
【００３８】
或いは、スケジューリング部１０は、各ＣＣの輻輳状況に応じて、上述のＣＡを行っている移動局に対するスケジューリング処理を行うか否かについて決定するように構成されていてもよい。
【００３９】
例えば、スケジューリング部１０は、所定数のＣＣにおいて輻輳の発生を検出した場合に、上述のＣＡを行っている移動局ＵＥに対するスケジューリング処理を行うように構成されていてもよい。
【００４０】
すなわち、スケジューリング部１０は、所定数のＣＣにおいて輻輳の発生を検出した場合には、通常のスケジューリング処理（すなわち、ベアラの種別を意識しないで行うスケジューリング処理）を行うように構成されていてもよい。
【００４１】
本発明の第１の実施形態に係る移動通信システムによれば、ＭＡＣレイヤにおけるスケジューリング部１０が、ＣＡを行っている移動局ＵＥに対するスケジューリング処理において、特定種別のベアラを特定のＣＣに割り当てることができるため、移動通信システムのおけるセル構成やトラフィック状況に基づいて、適切なトラフィック分散を実現することができる。
【００４２】
（本発明の第２の実施形態に係る移動通信システム）
図３及び図４を参照して、本発明の第２の実施形態に係る移動通信システムについて説明する。以下、上述の第１の実施形態に係る移動通信システムとの相違点に着目して、本発明の第２の実施形態に係る移動通信システムについて説明する。
【００４３】
本実施形態に係る移動通信システムにおいて、スケジューリング部１０は、ＣＡを行っている移動局ＵＥに対するスケジューリング処理において、各ベアラにマッピングされている「Ｌｏｇｉｃａｌ  Ｃｈａｎｎｅｌ  Ｐｒｉｏｒｉｔｙ」に基づいて、各ベアラを割り当てるＣＣを決定するように構成されている。
【００４４】
例えば、スケジューリング部１０は、図３に示すベアラの種別とＣＱＩ（Ｃｈａｎｎｅｌ  Ｑｕａｌｉｔｙ  Ｉｎｄｉｃａｔｏｒ）と「Ｌｏｇｉｃａｌ  Ｃｈａｎｎｅｌ  Ｐｒｉｏｒｉｔｙ」とＣＣの識別情報とを関連付けるテーブルを管理していてもよい。
【００４５】
スケジューリング部１０は、かかるテーブルを参照して、特定種別のベアラに関連付けられているＣＱＩや「Ｌｏｇｉｃａｌ  Ｃｈａｎｎｅｌ  Ｐｒｉｏｒｉｔｙ」やＣＣを抽出することができる。
【００４６】
以下、図４を参照して、本実施形態に係る無線基地局において、ＣＡを行っている移動局ＵＥに対するスケジューリング処理の動作について説明する。
【００４７】
図４に示すように、ステップＳ１０１において、スケジューリング部１０は、移動局ＵＥごとに、かかる移動局ＵＥ用のベアラに関連付けられている「Ｌｏｇｉｃａｌ  Ｃｈａｎｎｅｌ  Ｐｒｉｏｒｉｔｙ」の中から、現時点で、最も高い「Ｌｏｇｉｃａｌ  Ｃｈａｎｎｅｌ  Ｐｒｉｏｒｉｔｙ」を選択し、選択した「Ｌｏｇｉｃａｌ  Ｃｈａｎｎｅｌ  Ｐｒｉｏｒｉｔｙ」に関連付けられているＣＣを抽出する。
【００４８】
ここで、スケジューリング部１０は、選択した「Ｌｏｇｉｃａｌ  Ｃｈａｎｎｅｌ  Ｐｒｉｏｒｉｔｙ」に関連付けられている移動局ＵＥ用のベアラを、選択した「Ｌｏｇｉｃａｌ  Ｃｈａｎｎｅｌ  Ｐｒｉｏｒｉｔｙ」に関連付けられているＣＣに割り当てることを決定する。
【００４９】
ステップＳ１０２において、スケジューリング部１０は、移動局ＵＥごとに、スケジューリング係数を算出する。ここで、スケジューリング部１０は、移動局ＵＥごとに、かつ、ＣＣごとに、スケジューリング係数を算出してもよい。
【００５０】
また、スケジューリング部１０は、選択した「Ｌｏｇｉｃａｌ  Ｃｈａｎｎｅｌ  Ｐｒｉｏｒｉｔｙ」に関連付けられているＣＱＩを用いて、スケジューリング係数を算出してもよい。
【００５１】
ステップＳ１０３において、スケジューリング部１０は、算出したスケジューリング係数に基づいて、スケジューリング処理の対象となる移動局ＵＥを決定する。
【００５２】
例えば、スケジューリング部１０は、最も大きいスケジューリング係数の移動局ＵＥを、スケジューリング処理の対象となる移動局ＵＥとするように決定してもよい。
【００５３】
なお、スケジューリング部１０は、ＣＣごとに、スケジューリング処理の対象となる移動局ＵＥを決定してもよい。
【００５４】
本発明の第２の実施形態に係る移動通信システムによれば、ＭＡＣレイヤにおけるスケジューリング部１０が、ＣＡを行っている移動局ＵＥに対するスケジューリング処理において、ベアラに関連付けられている「Ｌｏｇｉｃａｌ  Ｃｈａｎｎｅｌ  Ｐｒｉｏｒｉｔｙ」を活用することができるため、移動通信システムのおけるセル構成やトラフィック状況に基づいて、適切なトラフィック分散及び優先制御を実現することができる。
【００５５】
（本発明の第３の実施形態に係る移動通信システム）
図５及び図６を参照して、本発明の第３の実施形態に係る移動通信システムについて説明する。以下、上述の第１及び第２の実施形態に係る移動通信システムとの相違点に着目して、本発明の第３の実施形態に係る移動通信システムについて説明する。
【００５６】
本実施形態に係る移動通信システムにおいて、無線基地局ｅＮＢは、２つのスケジューリング部１０Ａ/１０Ｂを具備している。
【００５７】
ここで、スケジューリング部１０Ａは、特定種別のベアラ（例えば、ＳＲＢや音声通信用ベアラ）のみを対象としたスケジューリング処理を行うように構成されていてもよい。
【００５８】
そして、スケジューリング部１０Ｂは、残りの種別のベアラ（例えば、パケット通信用Ｕ-ｐｌａｎｅベアラを対象としたスケジューリング処理を行うように構成されていてもよい。
【００５９】
かかる２つのスケジューリング部１０Ａ/１０Ｂは、それぞれ、独立にスケジューリング処理を行うように構成されている。
【００６０】
なお、２つのスケジューリング部１０Ａ/１０Ｂは、それぞれ、図５に示すベアラの種別とＣＱＩと「Ｌｏｇｉｃａｌ  Ｃｈａｎｎｅｌ  Ｐｒｉｏｒｉｔｙ」とを関連付けるテーブルを管理していてもよい。
【００６１】
スケジューリング部１０Ａ/１０Ｂは、かかるテーブルを参照して、特定種別のベアラに関連付けられているＣＱＩや「Ｌｏｇｉｃａｌ  Ｃｈａｎｎｅｌ  Ｐｒｉｏｒｉｔｙ」を抽出することができる。
【００６２】
以下、図６を参照して、本実施形態に係る無線基地局において、ＣＡを行っている移動局ＵＥに対するスケジューリング処理の動作について説明する。
【００６３】
図６に示すように、ステップＳ２０１Ａにおいて、スケジューリング部１０Ａは、移動局ＵＥごとに、かかる移動局ＵＥ用のＳＲＢ及び音声通信用ベアラに関連付けられている「Ｌｏｇｉｃａｌ  Ｃｈａｎｎｅｌ  Ｐｒｉｏｒｉｔｙ」の中から、現時点で、最も高い「Ｌｏｇｉｃａｌ  Ｃｈａｎｎｅｌ  Ｐｒｉｏｒｉｔｙ」を選択する。
【００６４】
ここで、スケジューリング部１０Ａは、選択した「Ｌｏｇｉｃａｌ  Ｃｈａｎｎｅｌ  Ｐｒｉｏｒｉｔｙ」に関連付けられている移動局ＵＥ用のＳＲＢ及び音声通信用ベアラを、スケジューリング部１０Ａ用のＣＣ（例えば、ＰＣＣ）に割り当てることを決定する。
【００６５】
ステップＳ２０２Ａにおいて、スケジューリング部１０Ａは、移動局ＵＥごとに、スケジューリング係数を算出する。
【００６６】
ステップＳ２０３Ａにおいて、スケジューリング部１０Ａは、算出したスケジューリング係数に基づいて、スケジューリング処理の対象となる移動局ＵＥを決定する。
【００６７】
一方、ステップＳ２０１Ｂにおいて、スケジューリング部１０Ｂは、移動局ＵＥごとに、かかる移動局ＵＥ用のＳＲＢ及び音声通信用ベアラ以外のベアラ（例えば、パケット通信用Ｕ-ｐｌａｎｅベアラに関連付けられている「Ｌｏｇｉｃａｌ  Ｃｈａｎｎｅｌ  Ｐｒｉｏｒｉｔｙ」の中から、現時点で、最も高い「Ｌｏｇｉｃａｌ  Ｃｈａｎｎｅｌ  Ｐｒｉｏｒｉｔｙ」を選択する。
【００６８】
ここで、スケジューリング部１０Ｂは、選択した「Ｌｏｇｉｃａｌ  Ｃｈａｎｎｅｌ  Ｐｒｉｏｒｉｔｙ」に関連付けられている移動局ＵＥ用のＳＲＢ及び音声通信用ベアラを、スケジューリング部１０Ａ用のＣＣ（例えば、ＰＣＣ）に割り当てることを決定する。
【００６９】
ステップＳ２０２Ｂにおいて、スケジューリング部１０Ｂは、移動局ＵＥごとに、スケジューリング係数を算出する。
【００７０】
ステップＳ２０３Ｂにおいて、スケジューリング部１０Ｂは、算出したスケジューリング係数に基づいて、スケジューリング処理の対象となる移動局ＵＥを決定する。
【００７１】
以上に述べた本実施形態の特徴は、以下のように表現されていてもよい。
【００７２】
本実施形態の第１の特徴は、無線基地局ｅＮＢであって、無線基地局ｅＮＢ配下のセル＃１/＃１１/＃１２に接続されている移動局ＵＥに対するスケジューリング処理を行うように構成されているスケジューリング部１０を具備し、スケジューリング部１０は、ＣＡを行っている移動局ＵＥに対するスケジューリング処理において、特定種別のベアラを特定のＣＣ（コンポーネントキャリア）に割り当てるように構成されていることを要旨とする。
【００７３】
本実施形態の第１の特徴において、スケジューリング部１０は、ＣＡを行っている移動局ＵＥに対するスケジューリング処理において、Ｃ-ｐｌａｎｅベアラをＰＣＣ（主キャリア）に割り当て、Ｕ-ｐｌａｎｅベアラをＳＣＣ（副キャリア）に割り当てるように構成されていてもよい。
【００７４】
本実施形態の第１の特徴において、スケジューリング部１０は、ＣＡを行っている移動局ＵＥに対するスケジューリング処理において、Ｃ-ｐｌａｎｅベアラ及び音声通信用Ｕ-ｐｌａｎｅベアラをＰＣＣに割り当て、パケット通信用Ｕ-ｐｌａｎｅベアラをＳＣＣに割り当てるように構成されていてもよい。
【００７５】
本実施形態の第１の特徴において、スケジューリング部１０は、ピコセルを含むＣＡがアクティブ化されたことを検出した場合に、上述のＣＡを行っている移動局ＵＥに対するスケジューリング処理を行うように構成されていてもよい。
【００７６】
本実施形態の第１の特徴において、スケジューリング部１０は、各ＣＣの輻輳状況に応じて、上述のＣＡを行っている移動局に対するスケジューリング処理を行うか否かについて決定するように構成されていてもよい。
【００７７】
本実施形態の第２の特徴は、無線基地局ｅＮＢであって、無線基地局ｅＮＢ配下のセル＃１/＃１１/＃１２に接続されている移動局ＵＥに対するスケジューリング処理を行うように構成されているスケジューリング部１０を具備し、スケジューリング部１０は、ＣＡを行っている移動局ＵＥに対するスケジューリング処理において、各ベアラにマッピングされている「Ｌｏｇｉｃａｌ  Ｃｈａｎｎｅｌ  Ｐｒｉｏｒｉｔｙ（論理チャネルの優先度）」に基づいて、各ベアラを割り当てるＣＣを決定するように構成されていることを要旨とする。
【００７８】
本実施形態の第２の特徴において、スケジューリング部１０が２つ設けられており、２つのスケジューリング部１０の一方は、特定種別のベアラのみを対象としたスケジューリング処理を行うように構成されていてもよい。
【００７９】
本実施形態の第２の特徴において、スケジューリング部１０は、ピコセルを含むＣＡがアクティブ化されたことを検出した場合に、ＣＡを行っている移動局ＵＥに対するスケジューリング処理を行うように構成されていてもよい。
【００８０】
本実施形態の第３の特徴は、無線基地局ｅＮＢにおけるスケジューリング方法であって、無線基地局ｅＮＢ配下のセルでＣＡを行っている移動局ＵＥに対するスケジューリング処理において、特定種別のベアラを特定のＣＣに割り当てる工程を有することを要旨とする。
【００８１】
本実施形態の第３の特徴は、無線基地局ｅＮＢにおけるスケジューリング方法であって、無線基地局ｅＮＢ配下のセルでＣＡを行っている移動局ＵＥに対するスケジューリング処理において、各ベアラにマッピングされている「Ｌｏｇｉｃａｌ  Ｃｈａｎｎｅｌ  Ｐｒｉｏｒｉｔｙ」に基づいて、各ベアラを割り当てるＣＣを決定する工程を有することを要旨とする。
【００８２】
なお、上述の無線基地局ｅＮＢの動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ内に設けられていてもよい。また、かかる記憶媒体及びプロセッサは、ディスクリートコンポーネントとして無線基地局ｅＮＢ内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ｅＮＢ…無線基地局
＃１、＃１１、＃１２…セル
１０…スケジューリング部
【図１】
0006043491.tif 000002
【図２】
0006043491.tif 000003
【図３】
0006043491.tif 000004
【図４】
0006043491.tif 000005
【図５】
0006043491.tif 000006
【図６】
0006043491.tif 000007